(57)【特許請求の範囲】
【請求項１】
原子炉格納容器内の原子炉圧力容器に接続された主蒸気配管に配置され、原子炉施設の異常時に前記原子炉圧力容器内の蒸気を前記原子炉格納容器内に放出する主蒸気逃がし安全弁と、該主蒸気逃がし安全弁に一端が接続され、該主蒸気逃がし安全弁に駆動ガスを導く主蒸気逃がし安全弁駆動ガス配管と、前記原子炉格納容器内に配置され、前記主蒸気逃がし安全弁駆動ガス配管の他端に、第１、第２及び第３の接続口の内の前記第１の接続口を接続するように設けられた三方弁と、該三方弁の第２の接続口に一端が接続され、駆動ガス供給源からの駆動ガスを供給する駆動ガス供給配管と、前記原子炉格納容器内に配置され、前記駆動ガス供給配管の他端に接続されたアキュームレータと、前記駆動ガス供給配管に一端が接続され、他端が前記駆動ガス供給源に接続された駆動ガス配管とを備え、前記原子炉格納容器内に格納された前記原子炉圧力容器の圧力を低減する原子炉圧力容器減圧設備であって、
前記駆動ガス配管上に、前記駆動ガス供給源の喪失時に前記アキュームレータ内に残留する駆動ガスの漏洩を防止する空気作動弁が設置されている主蒸気逃がし安全弁駆動装置を備え、
前記空気作動弁は、前記駆動ガス供給源が喪失していない際には、該駆動ガス供給源からの駆動ガスを駆動源とすることを特徴とする原子炉圧力容器減圧設備。
【請求項２】
請求項１に記載の原子炉圧力容器減圧設備において、
前記空気作動弁の前記アキュームレータ側の前記駆動ガス配管上に、逆止弁を設けたことを特徴とする原子炉圧力容器減圧設備。
【発明の詳細な説明】
【技術分野】
【０００１】
本発明は原子炉圧力容器減圧設備に係り、特に、運転時の異常な過渡変化時及び事故時に原子炉の加圧を防止する主蒸気逃がし安全弁駆動装置を備えているものに好適な原子炉圧力容器減圧設備に関する。
【背景技術】
【０００２】
一般に、原子炉施設においては、原子炉格納容器内に格納された原子炉圧力容器の圧力を低減するための原子炉圧力容器減圧設備が備えられており、この原子炉圧力容器減圧設備には、運転時の異常な過渡変化時及び事故時に原子炉の加圧を防止するために、主蒸気逃がし安全弁が設置されている。この主蒸気逃がし安全弁には、安全弁機能と逃がし弁機能があり、この二つの機能によって、自動的に原子炉圧力容器の蒸気を原子炉格納容器内に排出し、原子炉圧力容器の加圧を防止している。
【０００３】
安全弁機能では、主蒸気配管内部の圧力により、主蒸気逃がし安全弁内部のスプリングが押し上げられることで弁が開状態となり、原子炉圧力容器の減圧が行なわれる。
【０００４】
一方、逃がし弁機能では、三方弁の動作により、供給される駆動ガスにより弁体を押し上げることで弁が開状態となり、原子炉圧力容器の減圧が行なわれる。
【０００５】
また、駆動ガスは、駆動ガス供給源より常にアキュームレータに充填されている状態にあり，そこから主蒸気逃がし安全弁に供給されるが、プラントの通常時は、三方弁により主蒸気逃がし安全弁への駆動ガスの供給を閉止している状態にある。
【０００６】
従って、三方弁の操作により、必要に応じて加圧状態にあるアキュームレータより駆動ガスが主蒸気逃がし安全弁に供給され、弁が開くシステムとなっている。
【０００７】
また、何らかの理由により、駆動ガス供給源が喪失した場合にも、アキュームレータに残留する駆動ガスによって、主蒸気逃がし安全弁の駆動が可能である。
【０００８】
なお、逃がし弁機能の駆動ガスを供給後に駆動ガス供給源が破損しても駆動ガスが流出しないように、駆動ガス供給管に逆止弁を設けることが特許文献１に記載されている。
【０００９】
この特許文献１の構成により、アキュームレータ内の駆動ガスは保たれ、駆動ガス供給源が破損した場合でも、三方弁の操作により主蒸気逃がし安全弁を開状態にできるものである。
【先行技術文献】
【特許文献】
【００１０】
【特許文献１】特開２０１４−１５３２５７号公報
【発明の概要】
【発明が解決しようとする課題】
【００１１】
しかしながら、特許文献１の構成では、逆止弁は他の弁と比較して密閉度が低く、駆動ガス供給源の破損から長時間が経過した後には、駆動ガスの漏洩により十分な圧力が得られず、自動減圧機能による減圧ができなくなる可能性があるという課題があった。
【００１２】
本発明は上述の点に鑑みなされたもので、その目的とするところは、自動減圧機能の駆動ガスの供給源が破損した場合であっても、残留する駆動ガスの流出を防ぎ、原子炉圧力容器内の減圧を確実に実施することができる原子炉圧力容器減圧設備を提供することにある。
【課題を解決するための手段】
【００１３】
本発明の原子炉圧力容器減圧設備は、上記目的を達成するために、原子炉格納容器内の原子炉圧力容器に接続された主蒸気配管に配置され、原子炉施設の異常時に前記原子炉圧力容器内の蒸気を前記原子炉格納容器内に放出する主蒸気逃がし安全弁と、該主蒸気逃がし安全弁に一端が接続され、該主蒸気逃がし安全弁に駆動ガスを導く主蒸気逃がし安全弁駆動ガス配管と、前記原子炉格納容器内に配置され、前記主蒸気逃がし安全弁駆動ガス配管の他端に、第１、第２及び第３の接続口の内の前記第１の接続口を接続するように設けられた三方弁と、該三方弁の第２の接続口に一端が接続され、駆動ガス供給源からの駆動ガスを供給する駆動ガス供給配管と、前記原子炉格納容器内に配置され、前記駆動ガス供給配管の他端に接続されたアキュームレータと、前記駆動ガス供給配管に一端が接続され、他端が前記駆動ガス供給源に接続された駆動ガス配管とを備え、前記原子炉格納容器内に格納された前記原子炉圧力容器の圧力を低減する原子炉圧力容器減圧設備であって、前記駆動ガス配管上に、前記駆動ガス供給源の喪失時に前記アキュームレータ内に残留する駆動ガスの漏洩を防止する空気作動弁が設置されている主蒸気逃がし安全弁駆動装置を備え、前記空気作動弁は、前記駆動ガス供給源が喪失していない際には、該駆動ガス供給源からの駆動ガスを駆動源とすることを特徴とする。
【発明の効果】
【００１４】
本発明によれば、自動減圧機能の駆動ガスの供給源が破損した場合であっても、残留する駆動ガスの流出を防ぎ、原子炉圧力容器内の減圧を確実に実施することができる。
【図面の簡単な説明】
【００１５】
【図１】本発明の原子炉圧力容器減圧設備の実施例１を示す概略構成図である。
【発明を実施するための形態】
【００１６】
以下、図示した実施例に基づいて本発明の原子炉圧力容器減圧設備を説明する。
【実施例１】
【００１７】
図１に、本発明の原子炉圧力容器減圧設備の実施例１を示す。
【００１８】
該図に示す如く、本実施例の原子炉圧力容器減圧設備は、原子炉格納容器１２内の原子炉圧力容器１に接続された主蒸気配管２に配置され、原子炉施設の異常時に原子炉圧力容器１内の蒸気を原子炉格納容器１２内に放出する主蒸気逃がし安全弁３と、この主蒸気逃がし安全弁３に一端が接続され、主蒸気逃がし安全弁３に駆動ガスを導く主蒸気逃がし安全弁駆動ガス配管５と、原子炉格納容器１２内に配置され、主蒸気逃がし安全弁駆動ガス配管５の他端に、第１、第２及び第３の接続口６ａ、６ｂ及び６ｃの内の第１の接続口６ａを接続するように設けられた三方弁６と、この三方弁６の第２の接続口６ｂに一端が接続され、駆動ガス供給源１１からの駆動ガスを供給する駆動ガス供給配管７と、原子炉格納容器１２内に配置され、駆動ガス供給配管７の他端に接続されたアキュームレータ８と、駆動ガス供給配管７に一端が接続され、他端が駆動ガス供給源１１に接続された駆動ガス配管９とから概略構成され、原子炉格納容器１２内に格納された原子炉圧力容器１の圧力を低減するものである。なお、符号４は、原子炉圧力容器１の蒸気を原子炉格納容器１２内に排出する排気管である。
【００１９】
そして、本実施例では、駆動ガス配管９上に、駆動ガス供給源１１の喪失時にアキュームレータ８内に残留する駆動ガスの漏洩を防止する空気作動弁１０が設置されている主蒸気逃がし安全弁駆動装置を備えていることを特徴とする。
【００２０】
このように、駆動ガス配管９上に密閉度の高い空気作動弁１０を設けることで、駆動ガス供給源１１が破損した場合にも、アキュームレータ８内に充填された駆動ガスの圧力を維持することができ、破損から長時間が経過した後にも自動減圧機能の起動失敗のリスクを低減できる。
【００２１】
従って、本実施例によれば、自動減圧機能の駆動ガスの供給源が破損した場合であっても、残留する駆動ガスの流出を防ぎ、原子炉圧力容器１内の減圧を確実に実施することができる。
【００２２】
また、駆動ガス供給源１１が健全な場合は、供給している駆動ガスを空気作動弁１０の駆動源とすることにより、何らかの原因によりアキュームレータ８への駆動ガスの供給ができない場合には、空気作動弁１０が閉となるフェイルセーフ設計となり、アキュームレータ８からの駆動ガスの漏洩を確実に防止することが可能である。
【００２３】
更に、駆動ガス供給源１１の破損から空気作動弁１０の閉止までの駆動ガス漏洩を防止するために、空気作動弁１０のアキュームレータ８側の駆動ガス配管９上に逆止弁（図示せず）を設けてもよい。
【００２４】
なお、本発明は上記した実施例に限定されるものではなく、様々な変形例が含まれる。即ち、上記した実施例は、本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２５】
１…原子炉圧力容器、２…主蒸気配管、３…主蒸気逃がし安全弁、４…排気管、５…主蒸気逃がし安全弁駆動ガス配管、６…三方弁、６ａ…三方弁の第１の接続口、６ｂ…三方弁の第２の接続口、６ｃ…三方弁の第３の接続口、７…駆動ガス供給配管、８…アキュームレータ、９…駆動ガス配管、１０…空気作動弁、１１…駆動ガス供給源、１２…原子炉格納容器。
【図１】
0006491984.tif 000002